(57)【特許請求の範囲】
【請求項１】
被加工材を載置可能な被加工材載置面を有するベース部と、
回転可能な鋸刃を備えた揺動可能な切断部と、
一端を前記ベース部と接続し、前記ベース部に対して傾斜可能であり、他の一端を前記切断部と接続するホルダ部とを有する卓上切断機において、
前記ベース部の被加工材載置面とほぼ垂直な被加工材接触面を有し、前記被加工材接触面に沿う方向であり、ほぼ被加工材載置面と垂直な方向に移動可能に前記ベース部に取り付けられる可動フェンスを設け、
可動フェンスが上端位置にある際には、傾斜切断時に切断部に可動フェンスが接触する関係にあり、移動によって接触しない関係とすることが可能であり、
前記移動の際に、前記ベース部の被加工材載置面から突出する前記被加工材接触面の面積は可変であることを特徴とする卓上切断機。
【請求項２】
前記可動フェンスと接触し、前記ベース部に固定される固定フェンスを持ち、
前記可動フェンス及び前記固定フェンスは、互いに接触する可動フェンス−固定フェンス間接触面を有することを特徴とする請求項１記載の卓上切断機。
【請求項３】
前記可動フェンス−固定フェンス間接触面は、前記可動フェンスが凹部の場合には前記固定フェンスが凸部、前記可動フェンスが凸部の場合には前記固定フェンスが凹部であることを特徴とする請求項２記載の卓上切断機。
【請求項４】
前記固定フェンスは、前記可動フェンス両側に位置し、前記可動フェンス−固定フェンス間接触面が前記可動フェンス両側に設けられていることを特徴とする請求項２記載の卓上切断機。
【請求項５】
前記可動フェンスが前記ベースに対して移動することを阻止する阻止手段を、前記ベース部と前記可動フェンスとの間に有することを特徴とする請求項１から請求項４までのいずれか１項記載の卓上切断機。
【請求項６】
前記阻止手段は、前記フェンス形成した凹部、及び、該凹部に係合し、ベース部と係合する凸部により構成されることを特徴とする請求項５記載の卓上切断機。
【請求項７】
前記阻止手段は、前記可動フェンスに係合し、前記ベースに接続されるカム手段により構成されることを特徴とする請求項５記載の卓上切断機。
【請求項８】
前記可動フェンスをベースから上方へと突出する方向に付勢する付勢手段を有することを特徴とする請求項１から請求項７のいずれか１項記載の卓上切断機。
【発明の詳細な説明】
【技術分野】
【０００１】
本発明は、卓上切断機に関し、特に被加工材を切断する際に被加工材を支持する、移動可能なフェンスを備えた卓上切断機に関するものである。
【背景技術】
【０００２】
卓上切断機は、ベース部上に被加工部材を配置し、ベース部上方に位置する切断部を揺動してベース部に近接させ、切断部に設けられた丸鋸刃により被加工部材を切断する。切断時に被加工部材のベース部上での位置を正確に定めるため、ベース部上にはフェンスが設けられ、このフェンスに被加工部材を当接させることにより、丸鋸刃に対する被加工部材の位置を正確に特定している。
【０００３】
また卓上切断機の通常の使用状態では、切断部の揺動する方向とベース部上面とは直交しているが、被加工部材の切断部分の形状を傾斜させるため、作業者が、その切断部をベース部に対して傾斜させて使用する場合がある。この場合に切断部を揺動すると丸鋸刃及び切断部本体がフェンスに接触する場合があった。
【発明の開示】
【発明が解決しようとする課題】
【０００４】
従来の卓上切断機を図１５〜図１８を用いて説明する。
【０００５】
従来の卓上切断機の正面図を図１５に示す。図中に示すように、従来の卓上切断機は、ベース１及びターンテーブル２上に、固定フェンス３を有し、可動フェンス４を有していた。
【０００６】
可動フェンス４は、可動フェンス４の被加工材と当接する被加工材接触面の面に対して面に沿う方法に回動可能であった。このように、可動フェンス４又は固定フェンス３を設けるのは、しっかりと被加工材をフェンスに当接することを可能にするためである。
【０００７】
図１６は、図１５の右側面図である。可動フェンス４は、固定フェンス３の上部に設けられている。
【０００８】
図１７は、左側の可動フェンス４が回動した状態を示す。卓上切断機の切断部５１を傾斜させる場合には、その可動フェンス４が、傾斜した切断部５１に当ることがないような構成とすることが必要である。しかしながら、しっかりと被加工材をフェンスに当接させることも必要である。そこで、右側の回動フェンス４は、固定フェンス３上にそのままにし、左側の回動フェンスのみを回動させることにより、しっかりと被加工材を保持することが可能となっていた。
【０００９】
また、図１８は、右側の可動フェンス４が回動した状態を示す。切断部５１を右側に傾斜させた状態である。可動フェンス４は、回動されているために傾斜した切断部に当ることがない。
【００１０】
このように、切断部５１を左右方向に傾斜させる場合には、図１７または図１８に示すように、可動フェンス４の面に対して、面に沿うように可動フェンス４を回転させる必要があった。可動フェンス４を回転させることにより、フェンス４のベース部１上面から上方の高さが低くなるため、可動フェンスと切断部とが干渉することがない構成としている。
【００１１】
しかしながら、このような構成によれば、可動フェンス４を回転させることにより卓上切断機全体の横幅が広がり、狭い場所での作業に不都合を与える場合があった。
【００１２】
また、作業者は、回動フェンスを回動しなければならないために、作業が面倒になるものであった。
【００１３】
本発明は、可動フェンスを動かした際に横からはみ出ることがなく、可動フェンス４が切断部と干渉しない構成とすることが可能な、しかも可動フェンス４によってしっかりと保持することができる卓上切断機を提供することを目的とする。
【課題を解決するための手段】
【００１４】
上記目的は、「加工材を載置可能な被加工材載置面を有するベース部と、回転可能な鋸刃を備えた揺動可能な切断部と、一端を前記ベース部と接続し、他の一端を前記切断部と接続するホルダ部とを有する卓上切断機において、前記ベース部の被加工材載置面とほぼ垂直な被加工材接触面を有し、前記被加工材接触面に沿う方向であり、ほぼ被加工材載置面と垂直な方向に移動可能に前記ベース部に取り付けられる可動フェンスを設け、前記移動の際に、前記ベース部の被加工材載置面から突出する前記被加工材接触面の面積は可変であることを特徴とする卓上切断機。」により達成される。
【発明の効果】
【００１５】
請求項１記載の卓上切断機によれば、「加工材を載置可能な被加工材載置面を有するベース部と、回転可能な鋸刃を備えた揺動可能な切断部と、一端を前記ベース部と接続し、他の一端を前記切断部と接続するホルダ部とを有する卓上切断機において、前記ベース部の被加工材載置面とほぼ垂直な被加工材接触面を有し、前記被加工材接触面に沿う方向であり、ほぼ被加工材載置面と垂直な方向に移動可能に前記ベース部に取り付けられる可動フェンスを設け、前記移動の際に、前記ベース部の被加工材載置面から突出する前記被加工材接触面の面積は可変」と構成したために、被加工材の高さが高い場合に、多くの面積を被加工材接触面とすることができるために、しっかりと被加工材を保持することができる。さらに、前記被加工材接触面に沿う方向であり、ほぼ被加工材載置面と垂直な方向に移動するので、ベース部よりも左右方向などの外側に出ることもない、使い勝手の良い卓上切断機を提供することができる。また、例えば、クラウンモールディング材を用いる場合には、大きいものから小さいものまで、常にしっかりと保持することができるものである。
【００１６】
請求項２記載の卓上切断機によれば、請求項１に加えて、「前記可動フェンスと接触する固定フェンスを持ち、前記可動フェンス及び前記固定フェンスは、前記可動フェンスが前記被加工材接触面に接触した際に、接触する可動フェンス−固定フェンス間接触部を有する」構成としたために、被加工材の切断の際に、被加工材を可動フェンスの被加工材接触面に当接させることにより、可動フェンスをしっかりと位置決めを行え、被加工材接触面に保持することができる。
【００１７】
請求項３記載の卓上切断機によれば、請求項１または請求項２に加えて、「前記可動フェンス−固定フェンス間接触面は、可動フェンスが凹部の場合には固定フェンスが凸部、可動フェンスが凸部の場合には固定フェンスが凹部である」構成としたために、可動フェンスが、固定フェンスにより常にしっかりと位置決めされ、可動フェンスの移動をより正確に行うことができる。
【００１８】
また、本発明の卓上切断機によれば、「前記ホルダ部は、前記ベース部に対して傾斜可能であり、可動フェンスが上端位置にある際には、傾斜切断時に切断部に可動フェンスが接触する関係にあり、移動によって接触しない関係とすることが可能である」構成としたために、卓上切断機で被加工材を傾斜切りする際には、可動フェンスの被加工材載置面からの突出を少なくし切断部が可動フェンスに干渉することがないようにし、傾斜切りをしない際には、可動フェンスの被加工材載置面からの突出を最大にし、しっかりと被加工材を保持することができる。
【００１９】
請求項４記載の卓上切断機によれば、請求項１から請求項３までのいずれか１項に加えて、「前記可動フェンスが前記ベースに対して移動することを阻止する阻止手段を、前記ベース部と前記可動フェンスとの間に有する」構成としたために、可動フェンスの移動を阻止することができるために、可動フェンスを阻止し続けることができるために、使い心地の良い卓上切断機を提供することができる。
【００２０】
請求項５記載の卓上切断機によれば、請求項４に加えて、「前記阻止手段は、前記フェンス形成した凹部、及び、該凹部に係合し、ベース部と係合する凸部により構成される」構成としたために、可動フェンスのベースに対する阻止を、簡単容易で単純な構成により達成することができる。
【００２１】
請求項６記載の卓上切断機によれば、請求項４に加えて、「前記阻止手段は、前記可動フェンスに係合し、前記ベースに接続されるカム手段により構成される」構成としたために、容易に可動フェンスの阻止を行うことができるために、使い心地の良い卓上切断機を提供することができる。
【００２２】
請求項７記載の卓上切断機によれば、請求項１から請求項６までのいずれか１項に加えて、「前記可動フェンスをベースから上方へと突出する方向に付勢する付勢手段を有する」構成としたために、可動フェンスが上方へと突出する方向に常に付勢されており、作業者が下方に力を加えるだけで、容易に可動フェンスの位置を変更することができる。更に、阻止手段がある場合には、より容易に可動フェンスの位置の調整を行うことができる。また、可動フェンスの移動の際に、可動フェンスが、不意に下方へと落ちることを阻止することができる。そのため、使い心地の良い卓上切断機を提供することができる。
【発明を実施するための最良の形態】
【００２３】
本発明の第１の実施形態を図１から図９を用いて説明する。
【００２４】
図１は、本願発明の一実施例の卓上切断機の正面図である。図１中に示すとおり、図の上方を上、下方を下、右側を前、左側を後と定義する。上方及び下方を結ぶ方向が鉛直方向である。
【００２５】
卓上切断機は、ベース１及びターンテーブル２を有するベース部を有する。ターンテーブル２は、べース１に対して図示しない軸を中心に回動自在に保持されている。また、ターンテーブル２とベース１の上面は、ほぼ同一平面となっており、その面に、被加工材は、載置される。ベース１上の被加工材を載置する面を被加工材載置面とする。
【００２６】
ホルダ部７１は、一端でターンテーブル２と連結され、もう一端を切断部５１と連結される。
【００２７】
後述するように、ターンテーブル２を有するベース部に対して、ホルダ部７１は傾斜可能な構成となっている。それによって、ホルダ部７１に連結される切断部５１も同時にベース部に対して傾斜可能である。これは、ベース部及びホルダ部７１が、クランプレバー７２によって、連結されており、クランプレバー７２を正逆方向に回転させることによって、固定及び固定の解除をすることができる構成であり、固定を解除した状態で、ホルダ部７１を傾斜することができる構成となっているためである。
【００２８】
ホルダ部７１は、切断部５１と連結されており、切断部５１は、揺動可能となっている。これは、ホルダ部７１及び切断部５１が揺動軸５２によって連結されており、切断部５１は揺動軸５２を中心として揺動を行うことができるためである。
【００２９】
切断部５１には、モータ５３が設けられており、モータ５３によって、図示しない鋸刃が回転する。鋸刃が回転し、ハンドル５４を把持し下方へと揺動させることによって、ベース部上に載置した図示しない被加工材を鋸刃により切断することができる。
【００３０】
図２は、卓上切断機の右側面図である。また、図２中に示すとおり、図の上方を上、下方を下、右側を右、左側を左と定義する。上方及び下方を結ぶ方向が鉛直方向である。
【００３１】
図示しない被加工材は、ベース部のベース上及びターンテーブル上にある被加工材載置面１ａ及び２ａに載置される。
【００３２】
可動フェンス４は、被加工材と接触する被加工材接触面４ａを有しており、ベース部に設けられるベース１に設けられた可動フェンスとほぼ同形状の厚さを持った開口部により、ベース１に挿通している。可動フェンス４は、ベース１とほぼ垂直な方向である、可動フェンス４の一部である被加工材接触面４ａに沿う方向であり、ほぼ被加工材載置面と垂直な方向に移動可能となっている。可動フェンス４は、その被加工材と当接する被加工材接触面４ａをほぼ平面で構成されている。
【００３３】
可動フェンス４は、ベース部に設けられるベース１に固定され、ほぼベースと垂直な方向に配設されている固定フェンス３によって案内され、被加工材接触面に沿う方向であって、ほぼ被加工材載置面と垂直な方向に移動可能である。この移動の際には、ベース部の被加工材載置面から突出する被加工材接触面の面積は可変となっている。
【００３４】
可動フェンス４の側端部には、可動フェンスの厚さよりも薄い凸部４ｂが設けられている。凸部４ｂと係合する溝３ｂを固定フェンス３に設けることにより、その係合部によって案内する。可動フェンス４は、ほぼ垂直な方向に摺動を行い、移動する。なお、ここで、凸部４ｂと溝３ｂの接触面が、可動フェンス−固定フェンス間接触面である。
【００３５】
図３は、図２のＡ−Ａ断面図である。図３中に示すとおり、図の上方を上、下方を下と定義する。
【００３６】
ベース１には、開口部９があり、この開口部９に可動フェンス４は、挿し込まれ、貫通している。可動フェンス４には、突き当て４ｃがあり、可動フェンス４が、ベース１の上方より抜けてしまうのを防止している。
【００３７】
可動フェンス４には、凹部４ｄが６つ設けられている。また、凹部４ｄと係合する凸部５ｄを有するストッパ５が設けられている。可動フェンス４は、重力によって、下方へと移動するが、ストッパ５が、固定フェンス３と当接することによって、それ以上の下方への移動を阻止することとなる。なお、凹部４ｄと凸部５ｄは、６つのいずれの場所においても係合可能である。
【００３８】
なお、被加工材接触面４ａの被加工材載置面から突出する被加工材接触面４ａの面積は、最大の状態を示している。
【００３９】
図４は、図１のＣ方向矢視図である。
【００４０】
固定フェンス３の溝３ｂ及び可動フェンスの凸部４ｂは、係合する。溝３ｂは、ほぼ鉛直方向に延びる溝であり、凸部４ｂは、ほぼ鉛直方向に延びる凸部である。この関係により、溝３ｂ及び凸部４ｂは、上下方向に摺動可能である。ここで、溝３ｂ及び凸部４ｂの接触する面は２面あるが、そのうち、前方にあるものが、可動フェンス−固定フェンス間接触面である。これは、可動フェンス４が被加工材と接触し、その接触によって、被加工材接触面が押され、可動フェンス及び固定フェンスの間に力を受ける面である。なお、溝４ｂは、ほぼ凹形状であって、上下方向に延びるものである。
【００４１】
図５は、図１のＤ方向矢視図である。また、図５中に示すとおり、図の上方を上、下方を下と定義する。上方及び下方を結ぶ方向が鉛直方向である。
【００４２】
可動フェンス４には、凹部４ｄが設けられており、凹部４ｄにストッパ５の凸部５ｄが係合している状態を示している。図中では、上から５番目の凹部４ｄにストッパ５が係合している。このストッパ５は、可動フェンス４の上下方向への移動を阻止する阻止手段である。
【００４３】
図６は、図２において、可動フェンス４を最も下方向に摺動させた図である。図６に示されるように、可動フェンス４が移動すると、被加工材載置面から突出する被加工材接触面４ａの面積が変化することがわかる。図２と図６を比較すると、図２のほうが、被加工材載置面から突出する被加工材接触面４ａの面積が大きいことがわかる。
【００４４】
図７は、図６のＢ−Ｂ断面図である。６つの凹部４ｄのうち一番上の凹部にストッパ５の凸部５ｄが係合している。このストッパ５が、固定フェンス３と係合することにより、可動フェンスがベースより落ちてしまうことを防いでいる。
【００４５】
図８は、図２において、ホルダ部７１及びホルダ部７１に連結される切断部５１をベース部に対して左方向に傾斜させた状態を示す。図２に示す状態の可動フェンス４が上方にある位置では、切断部５１と可動フェンス４とは、干渉するものである。しかしながら、可動フェンス４が、図８においては、下方に摺動し、その位置でストッパ５によって保持される。そのため、可動フェンス４は、その被加工材接触面４ａに被加工材を当接させ、切断部５１に干渉することなく、被加工材をベース部上に保持することが可能である。
【００４６】
なお、被加工材接触面４ａの被加工材載置面から突出する被加工材接触面４ａの面積は、最小の状態を示している。
【００４７】
このように、被加工材接触面の面積は、被加工材接触面の突出量と関係して可変なものである。
【００４８】
図９は、図２において、ホルダ部７１及びホルダ部７１に連結される切断部５１をベース部に対して右方向に傾斜させた状態を示す。図２に示す状態の可動フェンス４が上方にある位置では、切断部５１と可動フェンス４とは、干渉するものである。しかしながら、可動フェンス４が、図８においては、下方に摺動し、その位置でストッパ５によって保持される。可動フェンス４は、その被加工材接触面４ａに被加工材を当接させ、切断部５１に干渉することなく、被加工材をベース部上に保持することが可能である。
【００４９】
可動フェンス４は、図８、図９のように、ホルダ部７１及びホルダ部７１に連結される切断部５１をベース部に対して左方向又は右方向に傾斜させた状態の傾斜切断を行う際には、切断部５１に干渉することがないように、下部へと移動させることが可能である。また、傾斜をさせない状態においては、可動フェンスが一番上の状態で、可動フェンス４をストッパ５によって移動を阻止することによって、しっかりと被加工材を保持することができる。
【００５０】
以下、図１０〜図１４を用いて第２の実施例を示す。
【００５１】
図１０中に示すとおり、右側を前、左側を後と定義する。また、図の上方を上、下方を下と定義する。
【００５２】
可動フェンス４の下部には、弾性体７が設けられている。また、弾性体のもう一端には、弾性体支持部材８が設けられている。弾性体支持部材８は、図示しない卓上切断機を設置する面に、ベース部と同様に当接する。弾性体支持部材８が卓上切断機を設置する面に当接し、弾性体７がその弾性力により重力に抗って上方へと付勢を行うことによって、可動フェンス４は、上方へと付勢される。そのため、可動フェンス４は、突き当て４ｃが、ベース１へと当接するように、弾性力を発揮している。ここで、弾性体７は可動フェンス４を上方へと付勢する付勢手段である。
【００５３】
可動フェンス４を下方向へと下げることは、作業者が、弾性体７の弾性力に逆らって、下方へと力を加え、弾性体７を縮める事により行う。これによって、可動フェンスを下方へと下げたい場合に、弾性力に抗う力を加えるのみで済み、スムーズに調整を行うことができる。
【００５４】
また、カム部材６が設けられている。カム部材６は、偏心軸を持っており、その偏心軸により回転させることにより、そのカム部材６の可動フェンス４に当接するカム部材６の当接するか、しないかを選択することができる。図１０は、可動フェンス４をカム部材６によって固定している状態を示す。この状態から、カム部材６を偏心軸を中心に、回転させることによって、その当接は外れ、固定が解除される。このように、カム部材６は、可動フェンスがベースに対して移動することを阻止することができる阻止手段である。
【００５５】
また、被加工材としてクラウンモールディング材１０１を、被加工材載置面上及び被加工材接触面に接触するように設けている。クラウンモールディング材１０１は、卓上切断機で加工を行う一つの材料である。通常の被加工材は、角柱をしており、被加工材載置面であるベース１と被加工材接触面４ａとに角柱の二つの平面で当接する。しかしながら、クラウンモールディング材１０１は、斜面である上部当接面１０１ａ及び下部当接面１０１ｂで当接がなされる。
【００５６】
クラウンモールディング材１０１には、様々な大きさがある。上部当接部１０１ａは、被加工材接触面４ａのいずれの場所に当接しても保持されなくてはならない。そのため、被加工材接触面４ａは、ほぼ平面で構成されている。可動フェンスを上下方向に摺動させることによって、ベース部の被加工材載置面から突出する被加工材接触面の面積が可変である。移動の際には、常に、ほぼ平面によって、被加工材をしっかりと保持することができるものである。
【００５７】
また、可動フェンスを上下方向に摺動させることによって、ベース部の被加工材載置面から突出する被加工材接触面の面積が可変であるために、しっかりと様々なクラウンモールディング材１０１を加工する際にも、クラウンモールディング材１０１を加工することができるものである。なお、被加工材接触面４ａが平面で無く、例えば、その下部が棒状のもので支えられている構成であった場合であって、可動フェンスを上下方向に移動させることによって、ベース部の被加工材載置面から突出する被加工材接触面の面積が不変な場合に、下部の棒状の部分に上部当接部１０１ａが当接するような大きさのクラウンモールディング材１０１を加工すると、１０１ａが棒状の部分で保持されることになり、不安定な保持しかすることができず、しっかりと保持できないものである。
【００５８】
図１１中に示すとおり、図の上方を上、下方を下と定義する。図１１は、最も上部に可動フェンス４が位置した場合の図面である。また、被加工材の１つであるであるクラウンモールディング材１０１を載置している。このように、最も上部にある状態で、弾性体は、通常の長さを有しており、力を加えると、弾性体７が縮んで、可動フェンスが下へと移動することができる。なお、図１０は、図１１のＣ−Ｃ断面図である。
【００５９】
図中に示すように、可動フェンス４の下部には、弾性体７が４本設けられている。また、４本の弾性体７の下部のもう一端には、弾性体支持部材８が設けられている。このように、１つの弾性体支持部材８は、４本の弾性体と接続されている。
【００６０】
また、カム部材６は、ベース１に対して固定される構造となっている。ベース１に固定され、ベース１からほぼ垂直に上方に延びるカム部材支持部６ａによって、カム部材６は、偏心軸を中心に回転可能であって、回転以外の動作をベースに１対して固定される。
【００６１】
図１２は、最も下部に可動フェンス４が位置した図である。弾性体７の弾性力に抗して、力を加え、弾性体７を縮めた上で、カム部材６を回転させることにより、可動フェンス４のベース１に対する固定が行われている。カム部材６を回転させ、可動フェンス４のベース１に対する固定を解除すると、可動フェンス４は、弾性体７の弾性力により自動的に上へと移動する。
【００６２】
図１３は、図１２のＤ−Ｄ線断面図である。可動フェンス４は、可動フェンス４の上部で、カム部材６によりベース１に対して固定されている。また、弾性体７は、図１０の状態よりも縮んでいる。
【００６３】
図１４は、図１２において、ホルダ部７１及びホルダ部７１に連結される切断部５１をベース部に対して左方向に傾斜させた状態を示す。可動フェンス４は、切断部５１に干渉することなく、被加工材をベース部上に保持することが可能である。なお、右方向に傾斜させた状態においても同様である。
【００６４】
本願の実施例においては、ベース部がベース１及びターンテーブル２を有する構成としたが、ベース部は、ターンテーブルのみ、ベースのみ、その他の構成如何なるものであっても、本願の作用効果を示すような構成であるものであれば、良いものである。
【００６５】
本願の実施例では、ホルダ部７１が、ベース部に対して傾斜する構成としたが、傾斜しない構成であっても、本願の作用効果を示すような構成であるものであれば、良いものである。
【００６６】
本願の実施例では、可動フェンス４のベース部に対する固定を、ストッパ５又はカム部材６によって行う構成としたが、それ以外にも、様々な変形例が考えられる。その固定方法は、本願の作用効果を示すものであれば、如何なるものであっても、本願の作用効果を示すような構成であるものであれば、良いものである。
【００６７】
本願の実施例では、卓上切断機の切断部５１は、揺動軸５２により、ホルダ部７１と連結されている構成であり、ホルダ部７１に対して揺動のみを行うことができる構成であったが、卓上切断機の中には、ホルダ部７１に対して切断部５１が前後方向に移動できるスライド式の卓上切断機がある。また、他の構成であって、ベース部に対して切断部が前後方向に移動できる卓上切断機もある。本願の作用効果を示すような構成であるものであれば、以上の如何なるものであっても、良いものである。
【００６８】
本願の実施例では、被加工材接触面は、ほぼ平面である構成であったが、このほぼ平面とは、多少のスジや凹みをも含むものであり、可動フェンスの移動の際に、ベース部の被加工材載置面から突出する被加工材接触面の面積が可変であるものであれば、同様の効果を奏するものであるために、良いものである。
【図面の簡単な説明】
【００６９】
【図１】本願発明の第１の実施例を示す卓上切断機の正面図
【図２】本願発明の第１の実施例を示す卓上切断機の右側面図
【図３】図２のＡ−Ａ線断面図
【図４】図１のＣ方向矢視図
【図５】図１のＤ方向矢視図
【図６】可動フェンスを下に下ろした状態を示す卓上切断機の右側面図
【図７】図６のＢ−Ｂ線断面図
【図８】ホルダ部を左側に傾斜させた状態を示す卓上切断機の右側面図
【図９】ホルダ部を右側に傾斜させた状態を示す卓上切断機の右側面図
【図１０】本願発明の第２の実施例を示す要部拡大図
【図１１】第２の実施例において図５を示す図面
【図１２】第２の実施例における右側面図
【図１３】図１０の弾性体を縮め、カム部材によって固定した状態を示す要部拡大図
【図１４】第２の実施例においてホルダ部を左側に傾斜させた状態を示す卓上切断機の右側面図
【図１５】従来の卓上切断機の正面図
【図１６】従来の卓上切断機の右側面図
【図１７】従来の卓上切断機で左側に傾斜し、可動フェンスを移動した状態を示す卓上切断機の右側面図
【図１８】従来の卓上切断機で右側に傾斜し、可動フェンスを移動した状態を示す卓上切断機の右側面図
【符号の説明】
【００７０】
１・・・ベース
２・・・ターンテーブル
３・・・固定フェンス
４・・・可動フェンス
５・・・ストッパ
６・・・カム部材
７・・・弾性体
８・・・弾性体支持部材
９・・・開口部
５１・・・切断部
７１・・・ホルダ部
【図１】
0005082635.tif 000002
【図２】
0005082635.tif 000003
【図３】
0005082635.tif 000004
【図４】
0005082635.tif 000005
【図５】
0005082635.tif 000006
【図６】
0005082635.tif 000007
【図７】
0005082635.tif 000008
【図８】
0005082635.tif 000009
【図９】
0005082635.tif 000010
【図１０】
0005082635.tif 000011
【図１１】
0005082635.tif 000012
【図１２】
0005082635.tif 000013
【図１３】
0005082635.tif 000014
【図１４】
0005082635.tif 000015
【図１５】
0005082635.tif 000016
【図１６】
0005082635.tif 000017
【図１７】
0005082635.tif 000018
【図１８】
0005082635.tif 000019